(57)【要約】【課題】一般家庭に使用される扇風機において、フロントガードを床面に安定して置きながら掃除ができるとともに、プレート表面の印刷物が傷つき美観が損なわれることを防ぐことを目的とする。【解決手段】ガード１３は、プレート９よりも外方へ突出した突起部１０をプレート９の近傍に設けた構成にしたことにより、フロントガード７を清掃のため床面に置くとき、突起部１０が床面に接触することで安定して置きながら清掃でき、またプレート９が直接床面に接触することを避けられるため、プレート９の表面に傷がついて美観が損なわれることを防ぐ扇風機を得られる。【選択図】図２
2016008534.tif 000002
【特許請求の範囲】
【請求項１】
基台部と、前記基台部から上方に伸びた支柱部と、前記支柱部の先端に設けたモータ部と、前記モータ部によって回転するファン部と、前記ファン部を内包するフロントガードとリアガードとからなり、前記フロントガードの中央に設けたプレートと、前記プレートの周縁部に設けた多数の線材からなるガードとを有し、前記ガードは、前記プレートよりも外方へ突出した突起部を前記プレートの近傍に備えたことを特徴とする扇風機。
【請求項２】
前記突起部は、前記プレートの近傍に環状に備えた請求項１に記載の扇風機。
【請求項３】
前記突起部は、高さを実質的に同一とした請求項１または２に記載の扇風機。
【請求項４】
前記プレートは、外方側となる表面に印刷物を備えた請求項１乃至３のいずれか１項に記載の扇風機。
【発明の詳細な説明】
【技術分野】
【０００１】
本発明は、一般家庭に使用される扇風機に関するものである。
【背景技術】
【０００２】
従来、この種の扇風機は、夏季に家屋において使用されるもので、軸流ファンを回転させて昇圧された空気を前方に送り出し、その風を人間が浴びて涼感を得るものである。夏季以外には使用頻度が低いため、室内の収納空間に省スペースでの収納、清掃を目的として、ファンやガードは取り外し可能なものが知られている（例えば、特許文献１参照）。
【０００３】
以下、その扇風機について図４および図５を参照しながら説明する。
【０００４】
図４および図５に示すように、扇風機１０１は基台部１０２と基台部１０２より垂直に伸びた支柱部１０３と、支柱部１０３の先端に備わるモータ部１０４と、モータ部１０４の前方側に装着した羽根車１０５と、羽根車１０５を内包するフロントガード１０６とリアガード１０７とを備えるものが知られている。フロントガード１０６は中央に設けたプレート１０８と、プレート１０８の周縁部に設けた多数の線材からなるガード１０９を有している。
【先行技術文献】
【特許文献】
【０００５】
【特許文献１】特開２０１３−１８５５６２号公報（第６頁、第１および第２図）
【発明の概要】
【発明が解決しようとする課題】
【０００６】
このような従来の扇風機においては、フロントガード、リアガードおよび羽根車が着脱可能な構成となっていたので、夏季などの使用頻度の高い期間を除いては、フロントガード、リアガードおよび羽根車を外して省スペースに収納が可能なだけでなく、使用中に付着したホコリなどの汚れを適宜掃除して落とすことができる。しかし、フロントガードの掃除を行う場合、たとえばフロントガードの形状が半球面状である場合、内側の汚れを取ろうとして床に置くと安定せず、掃除がしにくいということと、またプレートが床面に接触するため表面に傷がつき美観を損ねるという課題を有していた。
【０００７】
そこで本発明は、上記従来の課題を解決するものであり、フロントガードを安定して床面におきながら掃除でき、なおかつプレートが床面に接触せず、傷がつかないようにした扇風機を提供することを目的とする。
【課題を解決するための手段】
【０００８】
そして、この目的を達成するために、本発明は、ガードはプレートよりも外方へ突出した突起部をプレートの近傍に備えたものであり、これにより所期の目的を達成するものである。
【発明の効果】
【０００９】
本発明によれば、ガードは、プレートよりも外方へ突出した突起部をプレートの近傍に備えた構成にしたことにより、フロントガードを内側の汚れを取ろうとして床に置く場合に、突起部が床面に接触し、フロントガードが半球面状であっても安定して支え、掃除がしやすく、またプレートが床面に接触しないので、プレートに傷がついて美観が損なわれることがないという効果を得ることができる。
【図面の簡単な説明】
【００１０】
【図１】本発明の実施の形態１の扇風機の全体を示す側面図
【図２】同扇風機のフロントガードの構成を示す斜視図
【図３】同扇風機のフロントガードを構成する線材の形状を示す詳細図
【図４】従来の扇風機の全体を示す斜視図
【図５】同扇風機の全体を示す側面図
【発明を実施するための形態】
【００１１】
本発明の請求項１記載の扇風機は、基台部と、前記基台部から上方に垂直に伸びた支柱部と、前記支柱部の先端に設けたモータ部と、前記モータ部によって回転するファン部と、前記ファン部を内包するフロントガードとリアガードとからなり、前記フロントガードの中央に設けたプレートと、前記プレートの周縁部に設けた多数の線材からなるガードとを有し、前記ガードは、前記プレートよりも外方へ突出した突起部を前記プレートの近傍に備えた構成を有する。
【００１２】
これにより、突起部が床面に接触してフロントガードを支えるため、フロントガードを安定して床面に置くことができるという効果を奏する。
【００１３】
また、前記突起部は、前記プレートの近傍に環状に備えた構成にしてもよい。これにより、フロントガードを突起部が分散して支えることになるので、フロントガードをより安定して床面に置くことができるという効果を奏する。
【００１４】
また、前記突起部は、それぞれの高さを実質的に同一とした構成にしてもよい。これにより、フロントガードは床面に対して水平となり、また突起部がフロントガードから受ける重さを均等に分散できるので、フロントガードをより安定して床面に置くことができるという効果を奏する。
【００１５】
また、前記プレートは前記羽根車と反対側となる表面に印刷物を備えた構成にしてもよい。これにより、たとえばフロントガードを清掃するため床面へ置くとき、突起部がプレートよりさきに床面に接触し、プレートが床面に接触しないため、印刷物が床面に接触して傷がつき、美観を損ねることを防ぐという効果を奏する。
【００１６】
以下、本発明の実施の形態について図面を参照しながら説明する。
【００１７】
（実施の形態１）
図１に示すように、扇風機１は、基台部２と、基台部２から上方に垂直に伸びた支柱部３と、支柱部３の先端に設けたモータ部４と、モータ部４の前方に装着した羽根車５と、羽根車５を内包するフロントガード７およびリアガード８とからなる。モータ部４によって、羽根車５が回転することによって、送風される。
【００１８】
リアガード８は、モータ部４に着脱自在に装着され、フロントガード７は、リアガード８に着脱自在に装着されている。
【００１９】
羽根車５はモータ部４に着脱可能である。
【００２０】
図２に示すように、フロントガード７は、プレート９と、ガード１３と、ガードリング１２とからなる。フロントガード７は、プレート９が扇風機１における前面側に位置し、扇風機１における後面側が開口した椀形状である。
【００２１】
プレート９は、円板形状で、扇風機１における前面側に位置し、プレート９の周縁部から外方へ放射状に伸びる多数の線材１１がガード１３を形成する。
【００２２】
線材１１は、断面形状が円で、材質の一例は軟鋼線材である。線材１１は金属なので、金型によって椀形状に加工可能である。
【００２３】
ガードリング１２は、ガード１３の外周先端に固定されている。
【００２４】
ガード１３は、プレート９よりも外方へ突出した突起部１０を備えている。
【００２５】
突起部１０の一例は、図３に示すように、線材１１を金型により円弧形状に加工したものである。
【００２６】
これにより、突起部１０が床面に接触した場合、突起部１０が床面を傷つけることを抑制する効果がある。
【００２７】
この突起部１０は、プレート９の近傍に、環状に備えた構成としたものである。これにより、フロントガード７から突起部１０に加わる荷重を分散させることで、より安定して床面に対してフロントガード７を設置することができる。
【００２８】
突起部１０の高さを、実質的に同一となるように設けられている。これにより、フロントガード７は床面に対して水平に近い状態で安定して置くことができる。
【００２９】
実質的に同一とは、使用者がフロントガード７を床面に置いたとき、傾きやガタツキを感じない程度のことを指す。
【００３０】
また、プレート９の外方側となる表面には社名、ロゴマークなど印刷物が設けられる（図示せず）。
【００３１】
このような構成によれば、フロントガード７に付着したホコリなどの汚れを掃除する際に、フロントガード７をリアガード８より取り外して、例えば床に置いて清掃を行おうとすると、突起部１０を床面に接触させることにより、安定して床面に置けるため掃除がしやすくなる。
【００３２】
また、たとえばフロントガード７を清掃するため床面へ置くとき、プレート９よりも先に突起部１０が床面に接触することで、プレート９は床面に接触せず、掃除の途中でプレート９の表面の印刷物が床面に接触して傷つくことがないため、美観を損ねることがない。
【００３３】
また、羽根車５は内周側から外周側へ向かうほど風を送り出す量が大きくなるが、突起部１０は羽根車５の内周側のプレート９の周辺に設けたことにより、羽根車５の送風効率が低下しにくく、また風の流れの圧力変動等に起因した送風騒音への影響も小さくすることができる。
【産業上の利用可能性】
【００３４】
本発明にかかる扇風機は、フロントガードを床面に安定して置きながら掃除ができるとともに、プレート表面の印刷物に傷がつき美観が損なわれることを防ぐことを可能とするものであるので、一般的な家庭に使用されるリビング扇風機等として有用である。
【符号の説明】
【００３５】
１  扇風機
２  基台部
３  支柱部
４  モータ部
５  羽根車
７  フロントガード
８  リアガード
９  プレート
１０  突起部
１１  線材
１２  ガードリング
１３  ガード
【図１】
2016008534.tif 000003
【図２】
2016008534.tif 000004
【図３】
2016008534.tif 000005
【図４】
2016008534.tif 000006
【図５】
2016008534.tif 000007